(57)【要約】      （修正有）【課題】ゴーストの発生を低減したインク供給システムを提供する。【解決手段】インク供給デジタルオフセットシステム２００が、インク２１０を含んだインク室２１５を含み、インク供給部材２０５にインクを付着させる。インクをインク転写部材２２５に転写し、次に、画像形成部材２２０に転写する。インク除去部材２３０が、インク転写部材２２５から残りのまたは余分なインクを除去する。ドクターブレード２４２が、インク除去部材２３０を清掃する。【選択図】図２
2012254622.tif 000002
【特許請求の範囲】
【請求項１】
インク供給部材の表面にインクを付着するステップと、
前記付着したインクをインク転写部材の表面に転写するステップと、
前記インクを前記インク転写部材の表面から画像形成部材の表面に転写するステップと、
残りのインクをインク転写部材から除去するステップと、を含む、デジタルオフセットインク供給方法。
【請求項２】
前記インク転写部材から湿し水を除去するステップをさらに含む、請求項１に記載の方法。
【請求項３】
前記残りのインクを除去するステップが、前記インク転写部材をインク除去部材と接触させるステップを含む、請求項１に記載の方法。
【請求項４】
前記湿し水を除去するステップが、前記インク転写部材の表面にエアナイフを用いるステップを含む、請求項２に記載の方法。
【請求項５】
前記インク除去部材は親油性の表面を含んでいる、請求項３に記載の方法。
【請求項６】
インク室と、
前記インク室からインクを受け取るインクウェルを備えたインク供給部材と、
インク転写部材と、
インク除去部材と、を含む、デジタルオフセットインク供給システム。
【請求項７】
清掃部材をさらに含む、請求項６に記載のデジタルオフセットインク供給システム。
【請求項８】
前記インク転写部材が、ゴムを含む表面を有する、請求項６に記載のデジタルオフセットインク供給システム。
【請求項９】
前記インク除去部材が、ウレタンを含む表面を有する、請求項６に記載のデジタルオフセットインク供給システム。
【請求項１０】
前記インク除去部材が、ウレタンを含む表面を有し、前記清掃部材が、セラミックを含む表面を有する、請求項７に記載のデジタルオフセットインク供給システム。
【発明の詳細な説明】
【技術分野】
【０００１】
本開示は、デジタルオフセット版にインクを供給するための方法およびシステムに関する。特に、本開示は、例えばアニロックスロールとゴム製の転写ロールとを備えたインク供給システムから、デジタルオフセット版にインクを供給するための、ゴーストのないインク供給システムに関する。
【背景技術】
【０００２】
インク供給システムが、オフセット版にインクを転写するために設計されている。インク供給システムは、キー付きであってもよいし、あるいは、キーのないタイプであってもよい。インク供給システムは、通常のオフセットタイプの印刷システムであってもよいし、あるいは、デジタルオフセット版印刷システムであってもよい。
【０００３】
従来技術のインク供給システムは、ゴースト発生問題を抱えている可能性がある。インク供給システムでは、転写されたインクを層に付着させてもよい。この層は、変動可能な厚さの領域を有する。ゴースト発生は、インク層が、画像がすでに転写された特定の領域においてより薄くなるということに起因している可能性がある。インク層におけるインクのより薄い領域は、通常、画像を印刷すると、対応する領域をより明るくしてしまう。
【０００４】
従来技術のシステム、特に例えば、通常のオフセットシステムでは、直径が同じである複数の印字機ロールを用いることによって、ゴースト発生問題に対処してもよい。このような構成によって、繰り返し画像がロール上で常に同じ場所に位置するようになり、ゴースト発生の影響は回避される。
【発明の概要】
【課題を解決するための手段】
【０００５】
しかしながら、デジタルオフセットには、ゴースト発生が低減された、キーのない印字機が必要とされる。ゴースト発生を低減し、最小限に抑え、および／または、抑制するために効果的なインク供給システムを提供する。詳細には、方法、装置およびシステムの実施形態がインク転写部材からインク履歴を消去すること、例えば残りのインクを除去してゴースト発生を防ぐことに対応する。
【０００６】
例えば、方法の実施形態がウレタン被覆部材およびセラミック部材のうちの少なくとも１つを用いて、インク転写部材から残りのインクを除去することを含む。１つのインク供給システムは、インク転写部材にインクを搬送するように構成された、アニロックスロールといったインク供給部材を含んでいてもよい。インク転写部材は、画像形成部材にインクを搬送するように構成されていてもよい。画像形成部材は、オフセット版であってもよい。
【０００７】
インク転写部材が画像形成部材と接しており、インク転写部材から画像形成部材にインクを転写した後、ゴースト発生を低減するためにインク転写部材に残っているインクを除去またはインク履歴を消去してもよい。方法、装置およびシステムの実施形態において、親油性の表面を含むインク除去部材を用いてインクを除去してもよい。例えば、方法、装置およびシステムの実施形態は、親油性のセラミック表面を有するインク除去部材を含んでもよい。インク転写部材は、例えばゴム製の表面を含んでいてもよい。
【０００８】
方法、装置およびシステムの他の実施形態では、１つのインク除去部材が親油性のウレタン表面を含んでいてもよい。親油性のセラミック表面を有する清掃部材を用いて、インク除去部材のウレタン表面からインクを除去してもよい。例えば、清掃部材のセラミック表面は、インク除去部材のウレタン表面よりも親油性が低くてもよい。清掃部材の表面からドクターブレードを用いてインクを除去してもよい。
【０００９】
本明細書において例示的な実施形態が記述される。しかしながら、本明細書において記述された装置およびシステムの特性を組み込んだ任意のシステムが例示的な実施形態の範囲および精神に含まれることを前提とする。
【図面の簡単な説明】
【００１０】
【図１】図１は、デジタルオフセット構造を示す図である。
【図２】図２は、１つの例示的な実施形態によるインク供給システムを示す図である。
【図３】図３は、もう１つの例示的な実施形態によるインク供給システムを示す図である。
【図４】図４は、アニロックスロールおよびゴム製の転写ロールのインク過渡試験の結果を表すグラフである。
【発明を実施するための形態】
【００１１】
図面を参照して、インク転写部材からデジタルオフセット版にインクを供給し、インク転写部材のインク履歴を消去するための方法、装置およびシステムを理解されたい。図面では、同様のまたは同一の部材を示すために、全体にわたって同じ参照符号を用いている。図面は、様々な実施形態およびインク転写部材から画像形成部材にインクを直接供給するための例証的な方法、装置およびシステムの実施形態に関するデータを示している。
【００１２】
実施形態の方法、装置およびシステムは、キーがなく、インク転写部材からデジタルオフセット版に色むらなくインクを供給し、転写部材からインク履歴を消去することが好ましい。図１は、実施形態のシステムに含まれたデジタルオフセット構造を示している。具体的には、図１は、媒体転写ニップを共に形成する、中央画像形成シリンダおよび用紙搬送路構造を示している。図１は、中央画像形成シリンダに関して存在するデジタルオフセットのステップを示している。例えば、湿し水使用ステップ１００における湿らせるシステムによって、中央画像形成シリンダの表面に一定の湿し水を加えてもよい。デジタル蒸発ステップ２００では、中央画像形成シリンダの表面に用いられる湿し水層の特定の部分を、デジタル蒸発システムによって蒸発させてもよい。例えば、湿し水層の部分を、例えばＴｅｘａｓ  ＩｎｓｔｒｕｍｅｎｔｓのＤＬＰ投影機チップを用いたレーザーパターニングによって蒸発させてもよい。
【００１３】
インク供給ステップ３００では、インクを、インク供給部材から中央画像形成シリンダの表面に転写することができる。転写されたインクは、湿し水が蒸発した中央画像形成シリンダの表面の部分に接着する。部分的硬化ステップ４００では、転写されたインクを、照射、例えばＵＶ硬化によって、部分的に硬化することができる。画像転写ステップ５００では、転写されたインクを、媒体転写ニップにおいて紙などの媒体に転写することができる。
【００１４】
ステップ６００では、中央画像形成シリンダの表面を、清掃システムによって清掃してもよい。例えば、トレース清掃ローラを用いて、中央画像形成シリンダの表面を清掃することができる。
【００１５】
図１のインク供給ステップ３００に示したように、インク供給システムのインク供給部材およびインク転写部材から、中央画像形成シリンダに、インクを転写してもよい。インク供給部材は、例えば、画像形成部材に転写されるインクを含むためのウェルまたはセルを備えたアニロックスロールであってよい。ウェルは、機械的にまたはレーザーによって刻まれ、多量のインクを含むように構成されていてよい。実施形態のインク供給システムは、１つまたは複数のセルから余分なインクを除去するためのシステムを含んでいる。例えば、インク室によってインク供給部材にインクを付着させることにより、インクがインク供給部材の１つまたは複数のウェルを充填し、あふれ出させてもよい。実施形態の方法によって、１つまたは複数のウェルが水平化され、インク供給部材の表面から余分なインクを、例えばドクターブレードを用いてあふれ出たインクを除去することによって、除去してもよい。
【００１６】
例えば、インク室は、ドクターブレードまたは同様の適切な構造と関連していてもよい。ドクターブレードは、インク供給部材の表面からのインク供給部材のセルに付着した余分なインクを調整するように構成されてもよい。チャンバブレードが、インク室と関連していてもよい。チャンバブレードおよびドクターブレードは、チャンバ内にインクを含むように構成されていてもよい。例えば、チャンバブレードと、インク供給部材と、ドクターブレードとは、組み合わされて、インク室内にインクを含むように構成されていてもよい。インクの収容を、サイドシールといったシールによってさらに容易にしてもよい。
【００１７】
インク供給部材（例えば、アニロックスロール）は、中央長手方向の軸に対して回転自在に転写するように構成されていてもよい。インク供給部材が第１位置にあるとき、インク室によってインク供給部材の１つまたは複数のセルにインクを付着させてもよい。インク供給部材を、付着したインクが表面にゴムを含むインク転写部材に転写される第２位置まで回転させてもよい。次に、インクを画像形成部材またはデジタルオフセット転写版に転写すてもよい。画像形成部材は、例えば図１に示した中央画像形成シリンダであってもよく、インクは、インク供給ステップ３００において、インク供給システムから画像形成部材に転写されてもよい。
【００１８】
方法、装置、および、システムの実施形態は、インク転写部材からインクを除去して、ゴースト発生を抑制し、色むらのないインク供給システムを提供することを含む。例えば、方法の実施形態は、ウレタン被覆部材およびセラミック部材の少なくとも１つを用いて、インク転写部材からインクを除去することを含む。
【００１９】
インク転写部材は画像形成部材と接しており、インク転写部材から画像形成部材にインクを転写した後、インク転写部材に残ったインクを除去することができる。例えばゴム製のインク転写部材をインクトレインの一部として用いるとき、ゴースト発生は、インクの厚さの過渡変化の存在に因る可能性がある。方法、装置、および、システムの実施形態では、親油性の表面を含むインク除去部材を用いてインクを除去してもよい。例えば、方法、装置、および、システムの実施形態は、親油性のセラミック表面を有するインク除去部材を含んでもよい。インク転写部材は、例えばゴム製の表面を含んでいてもよい。ドクターブレードまたは同等の機構を用いて、清掃部材のセラミック表面からインクを除去してもよい。
【００２０】
方法、装置、および、システムの他の実施形態では、インク除去部材が親油性のウレタン表面を含んでいてもよい。親油性のセラミック表面を有する清掃部材を用いて、インク除去部材のウレタン表面からインクを除去してもよい。清掃部材のセラミック表面は、インク除去部材のウレタン表面よりも親油性が低くてもよい。ドクターブレードを用いて、清掃部材の表面からインクを除去してもよい。
【００２１】
付着したインクをインク供給部材から画像形成部材またはデジタルオフセット転写版に転写している間に、画像形成部材の表面からの湿し水をインク供給部材に移動させてもよい。実施形態では、インク供給部材を、湿し水がインク供給部材の表面から除去される第３の位置に回転させてもよい。
【００２２】
湿し水除去システムが、湿し水を除去するように構成されていてもよい。例えば、湿し水除去システムが、湿し水を除去するように構成されたドクターブレードを含んでいてもよい。他の一実施形態では、湿し水除去システムは、インク供給部材の表面から湿し水を蒸発させるように構成されたエアナイフを含んでいてもよい。もう１つの他の一実施形態では、湿し水除去システムは、画像形成部材からインク供給部材に移動した湿し水を除去するための、少なくとも１つの湿し水ドクターブレードとエアナイフとの組み合わせを含んでいてもよい。
【００２３】
図２は、一実施形態による１つの例示的なインク供給システムを示している。具体的には、図２は、インク供給デジタルオフセットシステム２００を示している。デジタルオフセットシステム２００は、インク供給部材２０５を備えたインク供給システム２０１を含んでいる。インク室２１５が、インク供給部材２０５に隣接するように位置付けられている。インク室２１５は、インク供給部材２０５の１つまたは複数のウェルにインク付着させるように構成されていてもよい。
【００２４】
例えば、インク供給部材２０５は、インク室２１５によって付着したインクを維持するように構成された１つまたは複数のウェルまたはセルを有する表面を含んでいてもよい。セルは、三重らせん状またはクワッドチャネル状になるようにパターン形成されてもよいし、そうでなければ、好ましくはより滑らかな固体、よりよいインク流動性、および、例えば約４０００００ｃｐｓという高粘度インクの転写を実現するようにパターン形成されていてもよい。このような高粘度インクは、デジタルオフセットを使用するための典型的な選択肢である。セルを、機械的に刻んでもよいし、あるいは、レーザーによって刻んでもよい。
【００２５】
インク室２１５は、チャンバブレード２１３およびドクターブレード２１８と関連していてもよい。チャンバブレード２１３は、インク室２１５内にインク２１０を含むように構成されていてもよい。インクの収容力を、ドクターブレード２１８とチャンバブレード２１３との組み合わせによって高めてもよい。サイドシールといったシールを用いて、インクの収容力を高めてもよい。
【００２６】
図２は、インク室２１５にインクを含むために構成及び配置されたチャンバブレード２１３およびドクターブレード２１８を示している。インク供給部材２０５はまた、図２に示したように、インク室２１５内へのインクの収容を容易にするように位置付けられている。インク２１０を、インク室２１５によってインク供給部材２０５の１つまたは複数のセルに付着させてもよい。付着したインクを、画像形成部材２２０の表面に転写してもよい。
【００２７】
一実施形態によって、図２のインク供給システム２０１は、インク供給部材２０５に隣接するように位置付けられたインク転写部材２２５を含んでいる。図２に示したインク供給システム２０１では、インクをインク供給部材２０５の表面に付着させてもよい。一実施形態では、インク２１０を、インク供給部材２０５の表面によって規定された、あるいは表面に形成された、１つまたは複数のセルに付着させてもよい。
【００２８】
インク供給部材２０５は、図示したように、インク転写部材２２５に転写するための付着したインクを搬送するために回転させる回転可能なロールであってもよい。例えば、インク供給部材２０５は、アニロックスロールであってよい。詳細には、インク供給部材２０５を、インク室２１５からのインク２１０をインク供給部材２０５に付着させることができる第１位置から、インクをインク転写部材２２５に転写する第２位置に、回転させてもよい。
【００２９】
インク転写部材２２５を、画像形成部材２２０に隣接するように位置付けてもよい。インク転写部材２２５は、図示したように、インク供給部材２０５からインク転写部材２２５にインクを転写することができる第１位置から、転写されたインクを画像形成部材２２０に転写する第２位置に回転することができる、回転可能なロールであってよい。
【００３０】
インク転写部材２２５から画像形成部材２２０にインクを転写した後、インク転写部材２２５は、画像形成部材２２０にインクを転写されたインク転写部材２２５の一部分に残りのインクを含んでいてもよい。インク供給部材２０５から転写されるインクを受け取るためにインク転写部材２２５のこの部分が再び位置付けられる前に、残りのインクを除去することが有効である。
【００３１】
インク除去部材を含むインク除去システムを用いて、インク転写部材２２５から残りのまたは余ったインクを除去してもよい。例えば、図２は、インク転写部材２２５に隣接して操作可能なように位置付けおよび配置されたインク除去部材２３０を示している。インク除去部材２３０は、回転可能なロールであり、インク転写部材２２５が回転する方向とは反対側の方向に回転するように構成されていてもよい。インク除去部材２３０がインク転写部材２２５と接すると、残りのインクはインク転写部材２２５からインク除去部材２３０に移動することができる。残りのインクをインク除去部材２３０に移動した後、インクをインク除去部材から除去することができる。例えば、ドクターブレード２４２を位置付けて、インク除去部材２３０の表面から、転写された残りのインクを除去してもよい。
【００３２】
インク除去部材２３０の表面は、親油性であってよい。例えば、一実施形態では、インク除去部材２３０の表面は、セラミックまたはセラミック被覆部材を含んでいてもよい。セラミック被覆部材は、インク転写部材２２５の表面と接する親油性の表面を提供する。
【００３３】
インク転写プロセスの間、画像形成部材２２０の表面に位置する湿し水を、インク転写部材２２５に移動させてもよい。インク転写部材２２５に移動した湿し水を、湿し水除去システムによって除去してもよい。例えば、インク転写部材２２５は、図２に示したように、インク転写位置から湿し水除去位置に回転可能であってもよい。湿し水除去システムは、エアナイフ２４６を含んでいてもよい。エアナイフ２４６は、インク転写部材２２５の表面から湿し水を除去するように、位置付けられ、構成されていてもよい。
【００３４】
図３は、一実施形態による１つの例示的なインク供給システムを示している。詳細には、図３は、インク供給デジタルオフセットシステム３００を示している。デジタルオフセットシステム３００は、インク３１０が付着したインク供給部材３０５を備えたインク供給システム３０１を含んでいる。インク室３１５は、インク供給部材３０５に隣接して位置付けられていてもよい。インク室３１５は、インク供給部材３０５の１つまたは複数のウェルにインク３１０を含み、付着させるように、構成されていてもよい。
【００３５】
例えば、インク供給部材３０５は、インク室３１５によって付着したインク３１０を維持するように構成された１つまたは複数のウェルまたはセルを有する表面を含んでいてもよい。セルは、三重らせん状またはクワッドチャネル状にパターン形成されていてもよいし、そうでなければ、より滑らかな固体、よりよいインク流動性、および、例えば約４００，０００ｃｐｓという高粘度インクの転写を実現するように、パターン形成されていてもよい。このような高粘度インクは、デジタルオフセットを使用するための典型的な選択肢である。セルを、機械的に刻んでもよいし、あるいは、レーザーによって刻んでもよい。
【００３６】
インク室３１５は、チャンバブレード３１３およびドクターブレード３１８と関連していてもよい。チャンバブレード３１３は、インク室３１５内にインク３１０を含むように構成されていてもよい。インク３１０の収容力を、ドクターブレード３１８とチャンバブレード３１３とを組み合わせることによって高めてもよい。サイドシールといったシールを用いることによって、収容力を高めてもよい。図３は、インク室３１５にインクを含むように構成及び配置されたチャンバブレード３１３およびドクターブレード３１８を示している。インク供給部材３０５は、図３に示したように、インク室３１５内へのインクの収容を容易にするように構成され、位置付けられていてもよい。インクをインク室３１５によってインク供給部材３０５の１つまたは複数のセルに付着させてもよい。付着したインクを画像形成部材３２０の表面に転写してもよい。
【００３７】
一実施形態によって、図３のインク供給システム３０１は、インク供給部材３０５に隣接するように位置付けられたインク転写部材３２５を含んでいる。図３に示したインク供給システム３０１では、インクをインク供給部材３０５の表面に付着させてもよい。例えば、インク３１０を、インク供給部材３０５の表面によって規定された、あるいは表面に形成された、１つまたは複数のセルに付着させてもよい。
【００３８】
インク供給部材３０５は、インク転写部材３２５に転写するための付着したインクを搬送するために回転させることができる、回転可能なロールであってもよい。詳細には、インク供給部材３０５を、インク室３１５からのインク３１０をインク供給部材３０５に付着させることができる第１位置から、インクをインク転写部材３２５に転写することができる第２位置に、回転させてもよい。
【００３９】
インク転写部材３２５を、画像形成部材３２０に隣接するように位置付けてもよい。インク転写部材３２５は、図示したように、インク供給部材３０５からインク転写部材３２５にインクを転写できる第１位置から、転写されたインクを画像形成部材３２０に転写する第２位置に回転できる、回転可能なロールであってよい。インク転写部材３２５は、ゴム製または同様の材料を含む表面を含んでいてもよい。
【００４０】
インク転写部材３２５から画像形成部材３２０にインクを転写した後、インク転写部材３２５は、画像形成部材３２０にインクを転写されたインク転写部材３２５の一部分に残りのインクを含んでいてもよい。インク供給部材３０５から転写されるインクを受け取るためにインク転写部材３２５のこの部分が再び位置付けられる前に、残りのインクを除去することが有効である。
【００４１】
一実施形態では、図３に示したように、インク除去部材および清掃部材を含むインク除去システムを用いて、インク転写部材３２５から残りのインクを除去することができる。例えば、図３は、清掃部材３３０に隣接して操作可能なように位置付けおよび配置されたインク除去部材３３５を示している。インク除去部材３３５は、インク転写部材３２５に隣接して操作可能なように位置付けおよび配置されていてもよい。
【００４２】
清掃部材３３０およびインク除去部材３３５は、回転可能なロールであってよい。例えば、これらはそれぞれ、直接隣接したロールが回転する方向とは反対方向に回転するように、構成されていてもよい。インク除去部材３３５がインク転写部材３２５と接しているとき、インク転写部材３２５からインク除去部材３３５に残りのインクを転写してもよい。残りのインクをインク除去部材３３５に転写した後、インク除去部材３３５からインクを除去してもよい。
【００４３】
清掃部材３３０は、インク除去部材３３５と接するように位置付けられ、インク除去部材３３５からインクを除去してもよい。清掃部材３３０の表面は親油性であってよい。例えば、一実施形態では、図３に示したように、清掃部材３３０の表面はセラミックを含んでいてもよい。インク除去部材３３５の表面はウレタンを含んでいてもよい。インク除去部材３３５のウレタン表面は、清掃部材３３０のセラミック表面よりも親油性が高くてもよい。
【００４４】
インク除去部材３３５から清掃部材３３０によってインクを除去した後、インクを清掃部材３３０から除去してもよい。例えば、ドクターブレード３４２が、インク除去部材３３０の表面から転写された残りのインクを除去するために位置付けられていてもよい。
【００４５】
インク転写プロセスの間、画像形成部材３２０の表面に位置する湿し水を、インク転写部材３２５に移動する。インク転写部材３２５に移動した湿し水を、湿し水除去システムによって除去してもよい。一実施形態では、インク転写部材３２５は、インク転写部材３２５から画像形成部材３２０にインクを転写できるインク転写位置から、湿し水除去システムが位置付けられた第２位置に、回転可能であってよい。図３に示したように、湿し水除去システムは、エアナイフ３４６を含んでいてもよい。エアナイフ３４６は、インク転写部材３２５の表面から湿し水を除去するように位置付けられ、構成されていてよい。
【００４６】
実施形態のインク供給部材は、アニロックスロールであってよい。インク供給システムに用いられるインクは、高粘度インクであってよい。例えば、インクの粘度は約４００，０００ｃｐｓを有してもよい。この粘度および同様の粘度のインクを実現しやすくするために、アニロックスロールは、高粘度インク収納型のセルを規定する表面を含むように構成されていてもよい。
【００４７】
インク供給部材の表面は、三重らせん構造をしたセル型を含むか、または規定していてもよい。あるいは、インク供給部材の表面によって、クワッドチャネル構成を有するようにパターン形成されたセル型を規定していてもよい。このようなセルまたはインクウェルタイプは、より滑らかな固体、よりよいインク流動性、および高粘度インクの改善された転写を実現する。したがって、このようなセル型構造は、特に、通常デジタルオフセットプロセスに用いられるインクに適している可能性がある。実施形態では、インク供給部材は、機械的に刻まれたか、あるいは、レーザーによって刻まれたセルを備えたアニロックスロールであってよい。
【００４８】
過渡試験は、インク転写ロールにおいて生じるインクの厚さの過渡変化を示している。試験は、定常状態のインクの厚さに到達するために、過渡変化に関するインク転写ロールの回転数が約３〜４であることを示している。
【００４９】
例えば、図４は、アニロックスロールおよびゴム製の転写ロールのインク過渡試験の結果を示すグラフである。実際に、図４に示したように、定常状態のインクの厚さに到達するために、過渡変化に関するインク転写ロールの回転数は、３〜４程度であってよい。例えばゴム製のインク転写部材をインクトレインの一部として用いた場合、ゴースト発生は、インクの厚さの過渡変化の存在に因るものである可能性がある。
【００５０】
実施形態によるシステムは、インク供給システムから画像形成部材、例えばデジタルオフセット版またはデジタルオフセット表面にインクを転写した後、インク転写部材を清掃することによって、他の望ましくない影響を減少させると共に、ゴースト発生の低減を達成する。さらに、実施形態によるシステムは、例えばドクターブレードとエアナイフとのうちの少なくとも１つを備えた湿し水除去システムを用いて、インク供給部材の表面から湿し水を除去することを含んでもよい。
【図１】
2012254622.tif 000003
【図２】
2012254622.tif 000004
【図３】
2012254622.tif 000005
【図４】
2012254622.tif 000006